(57)【要約】【課題】ソフトワームでは、その動きがリトリーブの早さで決まり、しかも一定の動きしかしないので、集魚効果があまりよくなかった。【解決手段】本発明の疑餌針は、少なくとも針６を取り付ける柔軟性を有する擬餌体５と、この擬餌体５に対して不規則な水流を生成する水流生成器２とを備えるものである。【選択図】図１
2004049101.tif 000002
【特許請求の範囲】
【請求項１】
少なくとも針を取り付ける柔軟性を有する擬餌体と、この擬餌体に対して不規則な水流を生成する水流生成器とを備えことを特徴とする疑餌針。
【請求項２】
ラインに接続される組付金具をさらに備えてなり、組付金具に水流生成器が取り付けられるとともにその端部に着脱可能に擬餌体が取り付けられることを特徴とする請求項１記載の擬餌針。
【請求項３】
水流生成器が、内部が空洞の半球形状のものであり、その内部に水を流入させるための入水孔を有するとともに、擬餌体側に開口面積が変更可能な出水孔を有することを特徴とする請求項１又は２記載の擬餌針。
【請求項４】
水流生成器が、２枚の平板部材からなり、それぞれの平板部材は少なくとも１つの貫通孔を有し、平板部材の相対位置を変更することにより貫通孔の開口面積を変更し得ることを特徴とする請求項１又は２記載の擬餌針。
【請求項５】
擬餌体と水流生成器との間の位置に独立して自由動可能な複数の糸状部材を有するソフトベイトをさらに備えてなることを特徴とする請求項１、２、３又は４記載の擬餌針。
【請求項６】
擬餌体が、糸と、糸に取り付けられる１以上の擬餌部材とからなることを特徴とする請求項１、２、３、４又は５記載の擬餌針。
【発明の詳細な説明】
【０００１】
【発明の属する技術分野】
本発明は、釣り竿を使用して釣りをする場合に好適に利用される擬餌針に関するものである。
【０００２】
【従来の技術】
近年、アウトドアブームの流行に伴い、ブラックバスなどの魚を対象とした釣りが多く行われている。この種の釣りでは、擬餌針であるルアーを用いる場合が多い。擬餌針としては、釣りの対象魚の餌となる昆虫や小魚などを模した形状にするとともに、本物と同様の動作をするような工夫がなされたものを利用することにより、集魚効果を得るようにしているものが挙げられる。
【０００３】
【発明が解決しようとする課題】
ところで、擬餌針に実物の昆虫や小魚のような動作を与えてあたかも生きているように移動させたり回転させたりする場合、釣り場や対象魚の種類に合わせて動きを異なるものとすることが望ましい。例えば、ゴム製の短い複数の糸状部材からなるソフトベイトをジグヘッドに取り付けたラバージグと呼ばれる擬餌針では、水中を移動させたり、水底に達する状態と水底からわずかに浮かせた状態とを繰り返しながら移動させたりして小魚などの動きを模した動きを作り、釣り場に応じて使用するものである。
【０００４】
このようなラバージグにおいて、ジグヘッドを上にして吊り下げた場合にソフトベイトの下方の位置に、例えばワームと呼ばれる長尺の柔軟性のある擬餌体を取り付けることがある。この擬餌体は、擬餌針を水中で移動させる場合に、あたかも水棲生物や小魚のような動きをすることが望ましい。
【０００５】
しかしながら、この擬餌体の動きは、水中にあって擬餌針がリトリーブされる時、ソフトベイトよりも下流に位置するので、ソフトベイトを均等にすり抜ける水の動きにより、比較的規則的な動きにしかならない。つまり、擬餌体が水棲生物や小魚などの動きを模倣するように動かない。このため、集魚効果が低下することがあった。
【０００６】
そこで本発明は、以上のような問題に鑑みて、擬餌部材の動きをランダムにして、集魚効果を向上させることができる擬餌針を提供することを目的とする。
【０００７】
【課題を解決するための手段】
すなわち、本発明の擬餌針は、少なくとも針を取り付ける柔軟性を有する擬餌体と、この擬餌体に対して不規則な水流を生成する水流生成器とを備えことを特徴とする。
【０００８】
このような構成によれば、水流生成器が水と接触することにより、不規則な水流が発生する。この不規則な水流は、擬餌体を不規則に動かすことになる。したがって、リトリーブの際の動きに対応して、擬餌体がリトリーブ方向と逆方向に規則正しく動く状態と異なり、擬餌体が自由に方向を変えて動くことにより、水棲生物や小魚などの動きを模倣したものとなり、集魚性を向上させることが可能になる。
【０００９】
水面から水中までの広範囲な使用環境に適合するようにするには、ラインに接続される組付金具をさらに備えてなり、組付金具に水流生成器が取り付けられるとともにその端部に着脱可能に擬餌体が取り付けられるものが好ましい。
【００１０】
水流を効果的に生成するためには、水流生成器が、内部が空洞の半球形状のものであり、その内部に水を流入させるための入水孔を有するとともに、擬餌体側に開口面積が変更可能な出水孔を有するものや、２枚の平板部材からなり、それぞれの平板部材は少なくとも１つの貫通孔を有し、平板部材の相対位置を変更することにより貫通孔の開口面積を変更し得るものが挙げられる。このように、出水孔及び貫通孔の開口面積を変更することにより、釣り場の環境に応じて種々の水流を生成することが可能になる。
【００１１】
魚へのアピールを向上させるためには、擬餌体と水流生成器との間の位置に独立して自由動可能な複数の糸状部材を有するソフトベイトをさらに備えてなるものが好適である。このように、ソフトベイトを具備することにより、ソフトベイトも水流生成器により生成された水流により、種々の方向に揺れ動くので、集魚効果を向上させることが可能になる。
【００１２】
擬餌体の動き方を多様なものにするには、擬餌体が、糸と、糸に取り付けられる１以上の擬餌部材とからなるものが望ましい。このような擬餌体における糸としては、合成樹脂製のもの、天然素材のものなどを広く使用することができる。合成樹脂製の糸としては、ナイロン（ポリアミド：引張強度８〜１１ｇ／ｄ：吸水率１．８）、フロロカーボン（２フッ化ビニリデン：引張強度８〜９ｇ／ｄ：吸水率０．０４）、ＰＥ（超高分子量ポリエチレン：引張強度３０〜４０ｇ／ｄ：吸水率０）などが挙げられる。また、天然素材の糸としては、綿からなるたこ糸が挙げられる。また、擬餌部材としては、球体形状や多面体形状のもので、水に浮きやすいものが好ましい。この場合、その素材としては、プラスチックス、硬質アクリル樹脂やポリスチレンなどの合成樹脂、木、ガラス、自然石、軽金属類などが挙げられる。
【００１３】
【発明の実施の形態】
以下、本発明の一実施形態を、図面を参照して説明する。
【００１４】
擬餌針ＬＲは、Ｌ字型形状をした組付金具１と、その組付金具１に取り付けられる水流生成器２と、糸状部材である複数の糸状ゴム３ａからなるソフトベイト３と、複数の擬餌部材４がたこ糸５ａで連結された擬餌体５と、擬餌体５に取り付けられた金属製の針（フック）６とを備えている。
【００１５】
組付金具１は、例えばステンレス製の丸雄ねじ棒素材で形成され、長辺部分１ａの端部は針状に尖らせてあり、その尖端近傍に擬餌体５を接続するためのステンレス製の円環（スプリットリング）が取り付けてある。この長辺部分１ａには、水流生成器２とソフトベイト３とが取り付けてある。また、組付金具１の屈曲部分１ｂには、ラインを接続するためのステンレス製のスプリットリング７が取り付けてある。さらに、組付金具１の短辺部分１ｃには、プラスチック製のビーズ８が例えば３個取り付けてある。このビーズ８は、球形状あるいは多面体形状のもので、透明のもの、あるいはほぼ原色で着色された不透明のものなど、釣り場の状況により目立ちやすいものを使用する。これらのビーズ８は、雌ねじが形成してあり、組付金具１と螺合することにより取り付けられるものであってよい。
【００１６】
水流生成器２は、例えばプラスチック製の内部が空洞の半球形状のもので、半球面部２ａと半球面部２ａの円形開口に取り付けられる平板面部２ｂとからなり、半球面部２ａを屈曲部分１ｂに、また平板面部２ｂを長辺部分１ａの尖端方向にそれぞれ向けて取り付けてある。この水流生成器２は、半球形状をしているので、その中心を組付金具１の長辺部分２ａが通るように取り付けてある。半球面部２ａには、その内部に水を流入させるための、複数の入水孔２ａａが設けてある。平板面部２ｂは、半球面部２ａに固定されている固定平板２ｂａと、その固定平板２ｂａに対して回転可能に取り付けられる可動平板２ｂｂとで構成される。固定平板２ｂａと可動平板２ｂｂとにはそれぞれ、複数の出水口２ｂｃが設けてあり、可動平板２ｂｂを回転させて可動平板２ｂｂの出水口２ｂｃと固定平板２ｂａの出水口２ｂｃとの重なり具合を調整することにより、その開口部分の面積を調整することができるようになっている。なお、入水口２ａａ及び出水口２ｂｃの数、形状及び開口面積は、水流生成器２の大きさに応じて適宜変更するものであってよい。
【００１７】
ソフトベイト３は、ゴム製の糸状部材３ａの集合体で、それぞれの糸状部材３ａの一方の端部は一体にしてあり、他方の端部は自由端となっている。つまり、ソフトベイト３は、糸状部材３ａが集合している基台部分と、その基台部分から放射状にランダムに突出するように基台部分に一体に設けられた複数の糸状部材３ａとからなる。このソフトベイト３は、組付金具１の尖端から水流生成器２に向かって突き刺すことにより取り付ける。
【００１８】
擬餌体５は、複数の擬餌部材４をたこ糸５ａを用いて連結したものである。擬餌体５は、組付金具１の尖端近傍に取り付けられたスプリットリングにたこ糸５ａを結びつけることにより組付金具１に取り付ける。擬餌部材４は、水流生成器２の外径より小さい外形寸法のものであり、水に浮きやすい素材、例えば木、合成樹脂などと、浮きにくい素材、例えばガラス、金属、自然石などにより作製されている。そしてこれらの素材を適宜組み合わせることにより浮力を調整し、水の中で様々な方向に動くようにする。それぞれの擬餌部材４は、任意の形状であってよく、例えば球状、ハート形状、宝石のような多面体形状などである。魚が見つけやすいように、ガラス製や合成樹脂製の擬餌部材４は透明のものにして、あるいは原色に近い色に着色して、光の透過や反射で魚からよく認識し得るようにする。また、形状の異なる擬餌部材４を隣り合わせにすることにより、隣接する擬餌部材４が衝突した際に音を発するように構成する。この擬餌部材４の大きさ、形状、色、数及び素材は、天候や釣り場の状況などに応じて、種々に組み合わせて用いるものであり、図示のもの、あるいは説明したものに擬餌部材４の組み合わせが限定されるものではない。また、リトリーブした際に全体が均等に浮くように、浮きやすい素材の擬餌部材４と浮きにくい擬餌部材４とを配置するものである。
【００１９】
この擬餌体５にあっては、図２に示すように、たこ糸５ａの一方の端部にリング５ｂが取り付けてある。たこ糸５ａを組付金具１に接続する際には、プラスチック製の小径のワッシャ５ｃにたこ糸５ａを通し、擬餌部材４が直接組付金具１に接触しないようにしている。このような構成にすることにより、擬餌体５の動きをよくすることができる。また、擬餌体５の自由端側には、自由な形状の変形ウッド（木片）からなる擬餌部材４ｘを取り付けている。これにより、擬餌体５の自由端が他の部分に比べて軽くなる。このため、この変形ウッドからなる擬餌部材４ｘが水流中に入ると、水流の勢いに応じて種々の方向に動くことになるので、擬餌体５が不規則に自由に動くことを促進するものとなる。
【００２０】
この実施の形態の擬餌体５には、擬餌体５の自由端側と接続端側近傍とに針（シングルフック）６が取り付けてある。針６には、ラインへの絡みつきを防止するための例えば塩化ビニール製のパイプからなるガード９がゴム６ａにより付勢されて取り付けてあり、ガード９の先端が針６の尖端部分をほぼカバーして離脱可能に係合するようにしてある。針６は、通常の金属製のものを使用し、擬餌体５の自由端側に取り付けた針６には、浮力を付与して針６が不規則に動くように、例えばコルク製及びウレタン（発泡スチロールを含む）製の球体１０及び円環体１１が取り付けてある。同様にしてガード９にも木製の球体１２が、硬質合成樹脂製のストッパ１３によりガード９の長さ方向に移動可能にして、抜け落ちないように取り付けてある。針６としては、図示したようなシングルのものに代えて、図４に示すようなトリプルフック２０６と呼ばれる針先が３つあるタイプを使用してもよい。このようなトリプルフック２０６にあっても、それぞれの針先に自由端が離脱可能に係合するガード９を取り付けるものである。この場合のガード９は、図示したものと同等のものであってよい。また、針６は、浮力を得るために、硬質プラスチック製とし、その尖端部分にセラミックを一体に固定したものであってもよい。なお、取り付ける針６の本数は、釣り場の状況などにより、適宜増減すればよい。
【００２１】
このような構成において、キャスティングにより擬餌針ＬＲが着水すると、その着水時に主として水流生成器２が水面と衝突して着水音が生じる。この場合、水流生成器２が比較的大型のものであっても、水流生成器２が空洞のものであり、内部に水が流入するようにした構造であることにより、発生する着水音が小さく、魚が警戒することなく、ポイントに擬餌針ＬＲをキャスティングすることができる。
【００２２】
着水の後、組付金具１の自重により水流生成器２が沈み、水流生成器２の入水孔２ａａから内部に水が流入する。水が流入することにより、水流生成器２が沈んで行くが、沈み始める前に水流生成器２が水面上を横方向に振れることがある。このように、水流生成器２が振れることにより、例えば水に落ちた昆虫の動きに似るので、集魚することができる。また、水流生成器２の一部が水面より上に出ている状態でリトリーブを開始すると、水流生成器２が水をかき分けることにより、波紋が生成されるとともに、水面に泡が生じる。これと同時に、水流生成器２の入水口２ａａから流入した水が出水口２ｂｃから流出することにより、水流が生成されるとともに、音が発生する。このような泡、波紋、水流及び音が生じることにより、水面近くを遊泳する魚や水棲生物に似せることができ、集魚効果を向上させることができる。
【００２３】
また、水流生成器２が沈むことで、水の流入と同時に内部の空気が出水孔２ｂｃから外部に出るので、さらに泡が発生する。しかも、この泡は、出水孔２ｂｃの開口面積を調整することにより、その大きさを変えることができるので、釣り場の状況に合わせて泡を発生させることができる。
【００２４】
この後、擬餌針ＬＲが水中にある状態で、擬餌針ＬＲをリトリーブすると、水流生成器２の入水口２ａａから水が内部に流入するとともに、内部にある水が出水口から吐出するので、リトリーブによる擬餌針ＬＲの進行方向とは逆方向に水流が発生する。この水流は水流生成器２の内部の水の動きにより生じるものであるので、その周囲の水の流れと流速が異なる。このため、水流生成器２により生じた水流が小さな渦を発生させたりして乱れる。この水流の乱れにより、ソフトベイト３のそれぞれの糸状部材３ａが種々の方向に不規則に揺れ動くととも、擬餌体５が水流に応じて上下左右に自在に不規則に揺れ動く。
【００２５】
したがって、一般的ないわゆるソフトワームのみの擬餌針と異なり、擬餌体５の動きが自然になり、水棲生物や小魚の運動状態に似せることができる。また、水流は、リトリーブの速度に応じて変化するので、速度が低くとも確実に擬餌体５やソフトベイト３を揺れ動かすことができ、短時間静止した状態では、擬餌部材４のうちの浮力の大きなものが擬餌体５を部分的に浮かすので、自然な、言い換えれば魚や水棲生物の挙動を模した状態を維持することができる。しかも、擬餌体５は、たこ糸５ａにより擬餌部材４を連結している構造であるので、ソフトワームのようにちぎれることがなく、環境を汚染する度合いが極めて低い。
【００２６】
この実施の形態にあっては、擬餌体５は、小さな擬餌部材４を連結して形成しているが、擬餌体５が水流生成器２により生成された水流の中に置かれるため、このような小さな擬餌部材４の連結体であっても、魚や水棲生物の動きに似せた自然な動きをさせることができる。
【００２７】
なお、本発明は、上記した実施の形態に限定されるものではない。
【００２８】
上記実施の形態にあっては、水流生成器２を半球形状のものとしたが、例えば図３に示すような平板部材特には円板部材１０２からなるものであってもよい。具体的には、同一形状の２枚の円板部材１１２，１２２の同一位置に複数の貫通孔１０２ａを設け、それぞれの円板部材１１２，１２２を密着した状態で相互に回転するようにしたものである。そして、円板部材１１２，１２２の相対位置を変更するように、円板部材１１２，１２２の中心に対して一方を回転させる。これにより、一方の円板部材１１２の貫通孔１０２ａの一部が他方の円板部材１２２の貫通孔１０２ａ以外の部分と重なり合うことにより、貫通孔１０２ａの開口面積が調整される。したがって、上記の実施の形態と同様に水流を生成することができる。
【００２９】
この例にあっては、上記実施の形態と同じく、Ｌ字型の組付金具１に、円板部材１１２，１２２を取り付け、ソフトベイト３に代えて例えばプラスチック製の球体１０３ａに、例えばゴムや合成樹脂あるいは天然繊維からなるものなどの柔軟性を有する糸１０３を取り付けたものに、擬餌体５を取り付ける構成である。この例では、擬餌針ＬＲ２が水底に到達した際に、常時組付金具１０１の所定の方向を向いて止まるように、硬質のプラスチックからなる弾性を有する脚体１０４が、組付金具１の短辺部分１ｃの端部に、取付管体１０５を螺合することにより取り付けるものである。この脚体１０４は、取付管体１０５の側面からそれぞれ反対方向に延出するもので、その尖端部分が水底に接した場合に、組付金具１の短辺部分１ｃの端部が水底に接しないように湾曲している。
【００３０】
このような構成にあっては、円板部材１１２，１２２の直径、貫通孔１０２ａの形成位置及び数を、これらを組み合わせて種々に変更することにより、泡や多彩な水流を生成することができる。なお、水流生成器としては、上述のような円板部材１１２，１２２以外に楕円板部材や多角形板部材により形成されるものであってよい。このような平板部材により構成される水流生成器を用いた擬餌針ににあっても、水中でほぼ静止させている状態（サスペンド）において効果を奏するとともに、水面あるいは水面近傍を移動する際の波紋、水流、泡の生成に効果を奏するものである。
【００３１】
さらに、他の水流生成器２０２としては、図４に示すような、組付金具としても機能する支持軸２０１と、支持軸２０１に取り付けられる網目状球体２０２ａと、その内部に取り付けられる複数の貫通孔２０２ｂを有する水流板２０２ｃと、水流板２０２ｃよりライン側に回転可能に支持軸２０１に取り付けられたプロペラ２０２ｄとからなるものであってもよい。このような水流生成器２０２では、リトリーブの際に網目状球体２０２ａにより周囲の水が切られ、その水が内部の水流板２０２ｂに到達する。水は、リトリーブの速度に応じて網目状球体２０２ａの内部に流れ込み、プロペラ２０２ｄを回転させる。このプロペラ２０２ｄの回転により、網目状球体２０２ａ内で水が撹拌され、渦巻き状に水流が生じる。そして、その水流は、水流板２０２ｂに設けられた複数の貫通孔２０２ｃから吐出し、水流生成器２０２の支持軸２０１の端部に取り付けられる擬餌体５を不規則に動かすものである。
【００３２】
組付金具１としては、上記したものの他に、Ｕ、Ｖ、Ｊ及びＣ字形状の各種のものが使用できる。この組付金具１の形状は、組付金具１の重量や擬餌体５の重量などにより選択すればよい。また、組付金具１をこのような形状とすることにより、ラインの縒れを防止するとともに、擬餌針の全体のバランスを調整するものであり、錘としても機能するものである。
【００３３】
擬餌体５における糸として、上記実施の形態にあってはたこ糸を説明したが、しなやかで、かつ強靱な繊維からなる糸であれば、合成樹脂製の糸であってよい。合成樹脂製の糸としては、引張強度が８〜１１ｇ／ｄで、吸水率１．８のポリアミド、引張強度が８〜９ｇ／ｄで吸水率０．０４の２フッ化ビニリデン、さらには引張強度３０〜４０ｇ／ｄで、吸水率０の超高分子量ポリエチレンなどが挙げられる。
【００３４】
擬餌体３０５としては、図５の（ａ）及び（ｂ）に示すように、例えば天然繊維や合成繊維等で織られた短冊状の布や合成樹脂（ポリエステルやポリスチレンなど）製の１あるいは複数のシート体３０５ａ、あるいは糸３０５ｂの自由端側に毛針３０５ｃを取り付けたもの、さらには従来から知られているソフトワームなどであってもよい。これらの擬餌体３０５にあっても、水流生成器により生成された水流により、従来単独で使用された場合とは異なり、不規則に動くものとなる。したがって、集魚効果を向上させることができる。
【００３５】
その他、各部の具体的構成についても上記実施形態に限られるものではなく、本発明の趣旨を逸脱しない範囲で種々変形が可能である。
【００３６】
【発明の効果】
本発明によれば、水流生成器が水と接触して不規則な水流を発生させることができ、この不規則な水流により擬餌体を不規則に動かすことができる。したがって、リトリーブの際の動きに対応して、擬餌体がリトリーブ方向と逆方向に規則正しく動く状態と異なり、擬餌体が自由に方向を変えて動くことにより、水棲生物や小魚などの動きを模倣したものとなり、集魚性を向上させることができる。
【００３７】
ラインに接続される組付金具をさらに備えてなり、組付金具に水流生成器が取り付けられるとともにその端部に着脱可能に擬餌体が取り付けられるものであれば、リトリーブやサスペンドなどにより水面から水中までの広範囲な使用環境に適合させることができる。
【００３８】
水流を効果的に生成するためには、水流生成器が、内部が空洞の半球形状のものであり、その内部に水を流入させるための入水孔を有するとともに、擬餌体側に開口面積が変更可能な出水孔を有するものや、２枚の平板部材からなり、それぞれの平板部材は少なくとも１つの貫通孔を有し、平板部材の相対位置を変更することにより貫通孔の開口面積を変更し得るものであれば、出水孔及び貫通孔の開口面積を変更することにより、不規則な水流を効果的に生成することができ、釣り場の環境に応じて種々の水流を生成することができる。
【００３９】
擬餌体と水流生成器との間の位置に独立して自由動可能な複数の糸状部材を有するソフトベイトをさらに備えてなるものであれば、魚へのアピールを向上させることができる。そして、ソフトベイトを具備することにより、ソフトベイトも水流生成器により生成された水流により、種々の方向に揺れ動くので、集魚効果を向上させることができる。
【００４０】
擬餌体が、糸と、糸に取り付けられる１以上の擬餌部材とからなるものであれば、擬餌体の動き方を多様なものにすることができる。
【図面の簡単な説明】
【図１】本発明の実施の形態の斜視図。
【図２】本発明の擬餌体を示す斜視図。
【図３】本発明の他の実施の形態を示す斜視図。
【図４】本発明のさらに他の実施の形態を示す斜視図。
【図５】本発明の擬餌体の変形例を示す図。
【符号の説明】
１…組付金具
２…水流生成器
２ａａ…入水口
２ｂｃ…出水口
３…ソフトベイト
４…擬餌部材
５…擬餌体
５ａ…たこ糸
６…針
【図１】
2004049101.tif 000003
【図２】
2004049101.tif 000004
【図３】
2004049101.tif 000005
【図４】
2004049101.tif 000006
【図５】
2004049101.tif 000007